(57)【要約】【課題】貯氷室に収容した扉の表面に結露水が付くのを防止し、外周囲や箱体外面が結露水で濡れるのを防ぐことができる貯氷庫を提供する。【解決手段】氷塊を貯留する貯氷室２０が内部画成される箱体１２に、氷取出口２６が開設される。箱体１２には、氷取出口２６を開閉する扉４４が配設される。扉４４は、氷取出口２６の開放時には貯氷室２０の内部天井面と前面が対向する状態で貯氷室内に収容される。貯氷室２０の内部に、開放状態の扉４４が収容される扉収容空間Ｓ１と、氷塊が貯留される氷貯留空間Ｓ２とを仕切る仕切部材４８が配設される。【選択図】図１
2010025369.tif 000002
【特許請求の範囲】
【請求項１】
氷塊を貯留する貯氷室(20)が内部画成されると共に前部に氷取出口(26)が開設された箱体(12)と、該箱体(12)に配設されて氷取出口(26)を開閉する扉(44)とを備え、該扉(44)は、氷取出口(26)の開放時に貯氷室(20)の内部天井面と扉(44)表面が対向する状態で貯氷室(20)に収容される貯氷庫において、
前記箱体(12)の内部に、開放状態の前記扉(44)が収容される扉収容空間(S1)と、氷塊が貯留される氷貯留空間(S2)とを仕切る仕切部材(48)が配設される
ことを特徴とする貯氷庫。
【請求項２】
前記扉収容空間(S1)に対して前記扉(44)が出入りする該扉収容空間(S1)の出入口(54)は、前記氷取出口(26)を閉成した前記扉(44)で閉塞される請求項１記載の貯氷庫。
【請求項３】
前記仕切部材(48)は、前記氷取出口(26)を介して出し入れ可能に構成される請求項１または２記載の貯氷庫。
【発明の詳細な説明】
【技術分野】
【０００１】
この発明は、貯氷室から氷塊を取出すための氷取出口を開閉する扉が、氷取出口の開放時に貯氷室に収容されるよう構成した貯氷庫に関するものである。
【背景技術】
【０００２】
製氷機で製造された氷塊を貯留する貯氷庫は、本体をなす箱体に、氷塊を貯留する貯氷室が内部画成されると共に、該箱体の前部には、貯氷室から氷塊を取出すための氷取出口が開設されている。また箱体には、氷取出口を開閉する扉が配設されているが、該扉の開閉構造としては、氷取出口の開放時に箱体外部に扉が大きく突出しないように、開放時には貯氷室に収容されるよう構成したものがある(例えば、特許文献１参照)。
【特許文献１】特開２００７−４０５９４号公報
【発明の開示】
【発明が解決しようとする課題】
【０００３】
前記貯氷庫では、前記氷取出口を開放して貯氷室に収容された扉は、氷取出口を閉成する状態で庫外側に臨む前面(表面)が、貯氷室の内部天井面と対向する略水平な姿勢となるよう構成されている。この構成では、扉を閉成位置から開放位置に移動した際に箱体に発生する振動等によって、貯氷室の内部天井面に結露した結露水が扉の前面に滴下することがある。この場合には、扉を開放位置から閉成位置に移動すると、その時に発生する扉自体の振動に起因して該扉の前面に付いている結露水が外部に飛散して貯氷庫の外周囲の床面等を濡らしてしまったり、あるいは閉成後に扉前面に付いている結露水が流下して氷取出口の下側の箱体前面に伝って濡らしてしまう問題が指摘される。
【０００４】
すなわちこの発明は、従来の技術に係る貯氷庫に内在している前記課題に鑑み、これを好適に解決するべく提案されたものであって、貯氷室に収容した扉の表面に結露水が付くのを防止し、外周囲や箱体前面が結露水で濡れるのを防ぐことができる貯氷庫を提供することを目的とする。
【課題を解決するための手段】
【０００５】
前記課題を解決し、所期の目的を達成するため、本発明に係る貯氷庫は、
氷塊を貯留する貯氷室が内部画成されると共に前部に氷取出口が開設された箱体と、該箱体に配設されて氷取出口を開閉する扉とを備え、該扉は、氷取出口の開放時に貯氷室の内部天井面と扉表面が対向する状態で貯氷室に収容される貯氷庫において、
前記箱体の内部に、開放状態の前記扉が収容される扉収容空間と、氷塊が貯留される氷貯留空間とを仕切る仕切部材が配設されることを特徴とする。
請求項１の発明によれば、仕切部材によって扉が収容される扉収容空間と、氷塊が貯留される氷貯留空間を仕切ることで、貯氷室における扉収容空間に臨む内部天井面に結露するのを防止することができる。従って、扉収容空間に収容された扉の表面に結露水が滴下することはなく、扉を開放位置から閉成位置に移動した際に貯氷庫の外周囲に結露水が飛散して濡らしたり、箱体の前面下部に結露水が流下して濡らすのを防止し得る。
【０００６】
請求項２に係る発明では、前記扉収容空間に対して前記扉が出入りする該扉収容空間の出入口は、前記氷取出口を閉成した前記扉で閉塞されることを要旨とする。
請求項２の発明によれば、扉収容空間に対する扉の出入口を、閉成時の扉で閉塞することで、氷貯留空間の冷気が出入口から扉収容空間に侵入するのを防ぎ、貯氷室における扉収容空間に臨む内部天井面に結露するのを確実に防止することができる。
【０００７】
請求項３に係る発明では、前記仕切部材は、前記氷取出口を介して出し入れ可能に構成されることを要旨とする。
請求項３の発明によれば、仕切部材を氷取出口を介して出し入れ可能に構成したから、該仕切部材のメンテナンスを簡単に行なうことができる。
【発明の効果】
【０００８】
本発明に係る貯氷庫によれば、扉の閉成時に結露水が飛散して外周囲を濡らしたり箱体の前面下部に結露水が流下して濡らすのを防止し得る。
【発明を実施するための最良の形態】
【０００９】
次に、本発明に係る貯氷庫につき、好適な実施例を挙げて、添付図面を参照して以下に説明する。なお、以下の説明において、前・後および左・右とは、特に断りのない限り、図２に示すように貯氷庫を正面側から見た場合において指称するものとする。
【実施例】
【００１０】
図１は、本発明の実施例に係る貯氷庫の概略側断面図であり、該貯氷庫１０の本体を構成する箱体１２は、上面および前面上部が開放するストッカ部１３と、該ストッカ部１３の上端に配設されて上部開口を閉塞する天板２２と、ストッカ部１３の前面に配設されたフロントパネル２４とから基本的に構成されて、内部に氷塊を貯留する貯氷室２０が画成される。前記ストッカ部１３は、内装板１４および外装板１６の間に断熱材１８を介在させた断熱構造体であり、また前記天板２２は、上板２８および下板３０の間に断熱材３２を介在させた断熱構造体である。前記フロントパネル２４には、ストッカ部１３における前面上部に形成されている前部開口に連通する開口部が開設されている。すなわち、ストッカ部１３の前部開口およびフロントパネル２４の開口部によって、箱体１２の前部には貯氷室２０から氷塊を取出すための氷取出口２６が形成される。
【００１１】
前記貯氷室２０の上部背面側に、流下式等の製氷機構３４が配設され、該製氷機構３４で製造された氷塊が、貯氷室２０の下部に落下して順次貯留されるよう構成される。なお、製氷機構３４に接続する冷凍機構３６は、ストッカ部１３の底面下部に画成した機械室３８に収納されている。また、箱体１２における機械室３８の前面にはルーバ４０が配設され、該ルーバ４０を介して外部空気を機械室３８に取込んで、冷凍機構３６を空冷するよう構成されている。
【００１２】
前記箱体１２の内装板１４における貯氷室２０を画成する幅方向に対向する左右の両側壁１４ａ,１４ａには、前記氷取出口２６に沿って上下方向に延在する垂直部４２ａと、該垂直部４２ａの上端から後側に向けて略水平に延在する水平部４２ｂとを有するレール部４２(図１,図３に一方のみ図示)が夫々形成され、両レール部４２,４２間に、前記氷取出口２６を開閉可能な引出し式の扉４４が摺動自在に配設されている。扉４４は、図３に示す如く、氷取出口２６を閉成し得る寸法の略矩形の箱状に形成された外郭体４４ａの内部に断熱材(図示せず)を充填した断熱構造体であって、該外郭体４４ａの幅方向の左右両側には、前記レール部４２,４２に摺動自在に係合する係合突部４４ｂ,４４ｂが突設されている。そして、扉４４における左右の係合突部４４ｂ,４４ｂをレール部４２,４２に係合した状態で、該扉４４は前記氷取出口２６を閉成する閉成位置(図１の二点鎖線位置)と、該氷取出口２６を開放する開放位置(図１の実線位置)との間を移動するよう構成される。
【００１３】
前記扉４４は、図１に示す如く、閉成位置においては前面(表面)を貯氷室２０外に臨ませた略鉛直姿勢となり、開放位置においては閉成位置での上端部を貯氷室２０の奥側に臨ませると共に前面を貯氷室２０の内部天井面(天板２２の下板３０)に対向するよう略水平姿勢で貯氷室２０に収容されるよう構成される。すなわち、閉成位置の扉４４は、レール部４２,４２に沿って下端部を持上げるようにして水平姿勢とした状態で貯氷室２０に押込むように移動することで貯氷室２０に収容され、開放位置の扉４４は、レール部４２,４２に沿って前側に引出した後に手前側(閉成位置での下端部)を降ろすことで氷取出口２６を閉成する閉成位置に至るようになっている。また、扉４４が閉成位置に臨む姿勢においての下端部には取手４６が設けられ、該取手４６は、扉４４を開放位置まで移動した状態で前記フロントパネル２４の前方に延出して(図１参照)、該取手４６を作業者が把持して扉４４の開閉操作を容易に行ない得るようにしてある。
【００１４】
前記箱体１２の内部(貯氷室２０)には、左右の両側壁１４ａ,１４ａ間に、前記開放位置の扉４４を収容する扉収容空間Ｓ１を画成する仕切部材４８が着脱自在に配設されている。この仕切部材４８は、図１および図３に示す如く、前記貯氷室２０の内部天井面をなす天板２２の下板３０に対して所定間隔離間して対向する水平面部４８ａと、該水平面部４８ａの後端縁から上方に延出して天板２２の下板３０に当接する後面部４８ｂと、水平面部４８ａの前端縁から前方に向けて斜め下方に延出して閉成位置の扉４４の裏面に当接可能な前面部４８ｃと、水平面部４８ａ、後面部４８ｂおよび前面部４８ｃの幅方向の左右両端縁から扉収容空間Ｓ１側に延出する左右の側面部４８ｄ,４８ｄとから構成される。また各側面部４８ｄには、幅方向に貫通する複数の通孔５０が夫々穿設され、各通孔５０に内側(扉収容空間Ｓ１側)から挿通したネジ５２を、対応する前記側壁１４ａに形成したネジ孔(図示せず)に螺挿することで、当該仕切部材４８が貯氷室２０に取付けられるようになっている。
【００１５】
前記仕切部材４８は、図１または図２に示す如く、箱体１２の内部に取付けられた状態で、前記側面部４８ｄ,４８ｄが対応する側壁１４ａ,１４ａに当接すると共に、後面部４８ｂの上端および両側面部４８ｄ,４８ｄの上端が天板２２の下板３０に当接して、貯氷室２０の上部に、前方に開口する前記扉収容空間Ｓ１を画成するよう構成される。そして、扉収容空間Ｓ１の前方に開口する出入口５４(仕切部材４８、両側壁１４ａ,１４ａおよび天板２２の下板３０で画成される口)は前記氷取出口２６に臨んでおり、前記扉４４を開閉移動する際には、該出入口５４を介して扉収容空間Ｓ１に対して扉４４が出し入れされる。また、仕切部材４８の前面部４８ｃの前端および両側面部４８ｄ,４８ｄの前端は、閉成位置の扉４４の裏面に当接して前記出入口５４が閉塞されるよう構成される。すなわち、扉４４が閉成位置に臨んでいる状態において、仕切部材４８によって貯氷室２０は、前記氷塊が貯留される下方の氷貯留空間Ｓ２と、上方の扉収容空間Ｓ１とが空間的に遮断するように仕切られ、天板２２における扉収容空間Ｓ１に臨んでいる下板３０(貯氷室２０の内部天井面)は、氷塊や製氷機構３４からの冷気に直接晒されないようになっている。
【００１６】
前記仕切部材４８の外形寸法は、前記氷取出口２６より小さく設定され、該氷取出口２６を介して仕切部材４８が出し入れ可能に構成されている。具体的には、仕切部材４８を箱体１２に取付けた状態での上下寸法は、氷取出口２６の左右の幅寸法より小さく設定され、仕切部材４８を箱体１２に取付けた状態での左右の幅寸法は、氷取出口２６の上下寸法より小さく設定されており、該仕切部材４８を両側面部４８ｄ,４８ｄが上下に位置する横倒しの姿勢で、該仕切部材４８は氷取出口２６に対して挿脱可能になっている。
【００１７】
〔実施例の作用〕
次に、実施例に係る貯氷庫の作用につき、以下説明する。
【００１８】
前記製氷機構３４で製造された氷塊は、前記貯氷室２０の氷貯留空間Ｓ２に順次貯留される。前記氷取出口２６を扉４４で閉成している状態においては、貯氷室２０内は、製氷機構３４からの冷気および貯留されている氷塊からの冷気によって低温に保持される。前記仕切部材４８における氷貯留空間Ｓ２に臨む外面は、前記冷気に直接晒されているために結露が生ずることがある。これに対して、仕切部材４８の内側に画成される扉収容空間Ｓ１は、仕切部材４８の後面部４８ｂおよび両側面部４８ｄ,４８ｄの上端が天板２２の下板３０に当接すると共に、両側面部４８ｄ,４８ｄが貯氷室２０を画成する両側壁１４ａ,１４ａに当接し、更に前面部４８ｃおよび両側面部４８ｄ,４８ｄの前端が閉成位置の扉４４の裏面に当接して、前記氷貯留空間Ｓ２からは空間的に遮断するように仕切られているから、氷貯留空間Ｓ２からの冷気が扉収容空間Ｓ１に直接侵入することはない。すなわち、前記天板２２における扉収容空間Ｓ１に臨んでいる下板３０が前記冷気に直接晒されないから、当該部分の下板３０に結露することはない。
【００１９】
従って、前記貯氷室２０の氷貯留空間Ｓ２から氷塊を取出す際に、前記扉４４を閉成位置から開放位置に移動して扉収容空間Ｓ１に収容したときに、扉４４の移動に伴い箱体１２に振動が発生しても、下板３０に対向している扉４４の前面に結露水が滴下することはない。よって、前記扉４４を開放位置から閉成位置に移動しても、結露水が外部に飛散して貯氷庫１０の外周囲の床面等を濡らしてしまったり、あるいは扉４４前面に付いている結露水が流下して氷取出口２６の下側の箱体１２前面に伝って濡らしてしまう等の問題が発生することはない。そして、実施例の貯氷庫１０は、扉４４への結露水の滴下防止を、箱体１２(天板２２)の形状を変更したり、扉４４に露結付着防止対策を施すことなく、仕切部材４８を貯氷室２０内に配設するだけで達成し得るものであるから、箱体１２(天板２２)の形状変更や扉４４に露結付着防止対策を施すことによるコストの上昇や扉４４の開閉動作が阻害されることもなく、簡単な構成で確実に結露水の外部飛散等を防止し得る。
【００２０】
前記仕切部材４８は氷取出口２６を介して出し入れ可能に構成されているから、該仕切部材４８の洗浄等のメンテナンスは、前記扉４４を開放位置に移動させた状態で、前記ネジ５２を緩み外して箱体１２に対する仕切部材４８の固定を解除した後、該仕切部材４８を氷取出口２６から外部に取出して行なうことができる。そして、洗浄等を終えた仕切部材４８については、氷取出口２６から貯氷室２０に収容し、前記ネジ５２を介して箱体１２に簡単に固定することができる。すなわち、仕切部材４８のメンテナンスに際し、ストッカ部１３からフロントパネル２４や天板２２を取外す等の煩雑な作業は必要なく、メンテナンス性がよい。
【００２１】
(変更例)
本願は前述した実施例の構成に限定されるものではなく、その他の構成を適宜に採用することができる。
１．実施例では、製氷機構として流下式のものを挙げたが、該製氷機構としては噴射式や貯水式、あるいはオーガ式等の各種のタイプのものを採用し得る。
２．実施例では、貯氷室内に配設した製氷機構で製造した氷塊を貯留する構成で説明したが、外部の製氷機構で製造した氷塊を貯氷室に貯留する構成であってもよい。
３．実施例では、ストッカ部に天板およびフロントパネルを組付けることで箱体を構成した場合で説明したが、箱体は、ストッカ部、天板およびフロントパネルが一体で形成されたものであってもよい。
４．実施例では、仕切部材を箱体の側壁にネジ止めする構成で説明したが、箱体に対して着脱自在に固定し得るものであれば、仕切部材および側壁に係脱自在な係合部および被係合部を設け、係合部と被係合部とを係合することで仕切部材を箱体の定位置に固定する構成を採用することができる。
５．仕切部材の形状は、実施例に限定されるものではなく、扉を収容可能な容積の扉収容空間を画成すると共に、該扉収容空間と氷貯留空間とを仕切ることができる形状であればよい。
【図面の簡単な説明】
【００２２】
【図１】実施例に係る貯氷庫の概略側断面図である。
【図２】実施例に係る貯氷庫の要部を示す概略正面図であって、扉を扉収容空間に収容した状態を示す。
【図３】実施例に係る仕切部材および扉を箱体から取外した状態で示す概略斜視図である。
【符号の説明】
【００２３】
１２ 箱体，２０ 貯氷室，２６ 氷取出口，４４ 扉，４８ 仕切部材，５４ 出入口
Ｓ１ 扉収容空間，Ｓ２ 氷貯留空間
【図１】
2010025369.tif 000003
【図２】
2010025369.tif 000004
【図３】
2010025369.tif 000005